(57)【要約】【課題】在室人数、室内の空気清浄度を検出し、換気量を制御する換気装置において、検出した在室人数、室内の空気清浄度に応じて基準換気量に加算して換気量制御を行ない、快適な空気質環境を提供することを目的とする。【解決手段】換気装置は、在室する人数を検知する人数検知手段と、室内の空気清浄度を検知する清浄度検知手段５と、人数に応じて予め記憶した室容積に対応する基準換気量に加算するように制御する換気量制御手段７と、空気清浄度に応じて換気量をさらに加算する換気量加算手段６を備える構成とすることで、在室人数と空気清浄度に応じて基準換気量に加算して換気量制御を行なうため、基準換気量の確保と、人から放出される二酸化炭素のみでなく、人の生活行為に対する空気質の悪化を未然に防止する。【選択図】図１
2007205625.tif 000002
【特許請求の範囲】
【請求項１】
在室する人数を検知する人数検知手段と、室内の空気清浄度を検知する清浄度検知手段と、人数に応じて予め記憶した室容積に対応する基準換気量に加算するように制御する換気量制御手段と、空気清浄度に応じて換気量をさらに加算する換気量加算手段を備えたことを特徴とする換気装置。
【請求項２】
人数検知手段は１つの赤外線センサと、人からの赤外光を選択的に透過及び集光させる赤外線集光手段と、赤外光を断続的に入射かつ入射方位を適宜切り換えるように制御するチョッパ手段と、前記チョッパ手段により遮断した際の基準赤外光と対象領域の赤外光との差異により生じた前記赤外線センサの誘起電圧分布から人数を判定する人数判定手段を備えたことを特徴とする請求項１記載の換気装置。
【請求項３】
人数検知手段は、少なくとも２つ以上配した赤外線センサと、前記赤外線センサを回転走査させるように制御する回転手段と、赤外光を断続的に入射かつ入射方位を適宜切り換えるように制御するチョッパ手段と、前記チョッパ手段により遮断した際の基準赤外光と対象領域の赤外光との差異により生じた前記赤外線センサの誘起電圧分布から人数を判定する人数判定手段を備えたことを特徴とする請求項１記載の換気装置。
【請求項４】
回転手段とチョッパ手段の駆動源を同一としたことを特徴とする請求項３記載の換気装置。
【請求項５】
赤外集光手段はフレネルレンズであることを特徴とする請求項２記載の換気装置。
【請求項６】
赤外集光手段はシリコンレンズであることを特徴とする請求項２記載の換気装置。
【請求項７】
赤外線センサは非回転走査方向に配列したことを特徴とする請求項３記載の換気装置。
【請求項８】
赤外線センサへの誘起電圧分布の時間変化量から人と固定熱源を判別する判別手段を備えたことを特徴とする請求項３記載の換気装置。
【請求項９】
赤外線センサからの誘起電圧分布信号から人あるいは固定熱源の位置を判定する位置判定手段を備えたことを特徴とする請求項３記載の換気装置。
【請求項１０】
人の位置により換気量を増加あるいは減少させるように制御する第二換気量制御手段を備えたことを特徴とする請求項９記載の換気装置。
【請求項１１】
在室人数がゼロとなった際に、消し忘れを報知する報知手段を備えたことを特徴とする請求項１記載の換気装置。
【請求項１２】
在室人数により計算した加算する換気量と基準換気量の合計値が換気能力を超えた際に、換気量不足を報知、警告する注意手段を備えたことを特徴とする請求項１記載の換気装置。
【請求項１３】
清浄度検知手段は、炭酸ガスセンサを備える構成としたことを特徴とする請求項１記載の換気装置。
【請求項１４】
清浄度検知手段は、煙センサを備える構成としたことを特徴とする請求項１記載の換気装置。
【請求項１５】
清浄度検知手段は、ホルムアルデヒドセンサを備える構成としたことを特徴とする請求項１記載の換気装置。
【請求項１６】
清浄度検知手段は、粉塵センサを備える構成としたことを特徴とする請求項１記載の換気装置。
【発明の詳細な説明】
【技術分野】
【０００１】
本発明は、人感センサにより検知した在室人数と、清浄度検知手段により検知した室内の空気清浄度に応じて、基準換気量に加算するように制御する換気装置に関する。
【背景技術】
【０００２】
近年、換気扇の制御において、燃焼機器により発生する水素、一酸化炭素や建材からの揮発性有機ガス（ＶＯＣ）、生ゴミ臭、調理臭、また特定場所に人が集中した際の人いきれなどを抑制、防止し、居住空間の快適性を確保することができる換気装置が求められている。
【０００３】
従来、この種の空調装置に関しては、室内の居住者の有無及び人数を正確に認識すると同時にそれらの態様を判定し、その態様に対応して空調状態を制御すると同時に適切に換気するものが知られている（例えば、特許文献１参照）。
【０００４】
以下、その空調装置について図２４及び図２５を参照しながら説明する。
【０００５】
図２４に示すように、室内入口に人体の移動方向に沿って略直線上に複数個設けられた人体検知センサ１０１と、室内の炭酸ガスを感知する炭酸ガスセンサ１０２と、人体感知センサ１０１からの信号を受信して人体の入出を認識する第１の認識手段１０３と、炭酸ガスセンサ１０２が感知した炭酸ガス濃度から人体の存在を認識する第２の認識手段１０４と、第１の認識信号と第２の認識信号とを受信して人体の存在の有無を判定する判定手段１０５とを備え、判定手段１０５からの判定信号を受信して空調機器１０６を制御する制御手段１０７を設けており、空調制御するように構成されている。
【０００６】
また、図２５に人体感知センサの配置図を示している。人体感知センサ１０１は室内入り口に人体の移動方向に沿って直線上に複数個設けられており、矢印に示すように入室方向に人体が移動するときには人体感知センサ１０１がＳ１→Ｓ２→Ｓ３と順に人体を感知しその感知モードを第１の認識手段１０３が認識する。逆に出室方向に人体が移動する時はＳ３→Ｓ２→Ｓ１と逆方向に人体を感知し、その感知モードを第１の認識手段３が認識する。ここで感知モードがＳ１→Ｓ２→Ｓ３の時には、居住者の入室を認識し、Ｓ３→Ｓ２→Ｓ１の時には出室を認識することになる。
【特許文献１】特開２０００−２３４７８２号公報
【発明の開示】
【発明が解決しようとする課題】
【０００７】
このような従来の空調装置では、人体の存在、活動量を精度良く検出するために人体検知センサと炭酸ガスセンサを有しているが、燃焼機器から発生する水素、一酸化炭素や建材からのＶＯＣ、生ゴミ臭、調理臭による空調制御を行なっておらず、空気質の悪化の防止に対して炭酸ガス濃度で代用しているため、その他有害ガスに対して確実な対応ができないという課題があり、人の生活行為に対する空気質の悪化防止を両立することが要求されている。
【０００８】
また、本空調装置では常時換気設備との併用が必要であり、コスト高になることと、人体を所定時間内の検出パルス数のみで検出しており、正確に人数を特定できず、換気装置の制御を実際の在室人数に見合った換気量にて行なうことができないという課題があり、より正確に在室人数を検出し、基準換気量確保と在室人数による快適性確保のための換気量制御を行なうことが要求されている。
【０００９】
本発明は、このような従来の課題を解決するものであり、在室人数を低コストで、かつ正確に検出すると同時に室内の空気清浄度を検知し、在室人数と室内の空気質に応じて基準換気量に対して換気量の加算を行ない、快適性を確保することができる換気量制御を行なうことができる換気装置を提供することを目的としている。
【課題を解決するための手段】
【００１０】
本発明の換気装置は、在室する人数を検知する人数検知手段と、室内の空気清浄度を検知する清浄度検知手段と、人数に応じて予め記憶した室容積に対応する基準換気量に加算するように制御する換気量制御手段と、空気清浄度に応じて換気量をさらに加算する換気量加算手段を備える構成としたものである。
【００１１】
この手段により、在室人数と空気清浄度に応じて基準換気量に加算して換気量制御を行なうため、基準換気量の確保と、人から放出される二酸化炭素のみでなく、人の生活行為に対する空気質の悪化を未然に防止することができる換気装置が得られる。
【００１２】
また、人数検知手段は１つの赤外線センサと、人からの赤外光を選択的に透過及び集光させる赤外線集光手段と、赤外光を断続的に入射かつ入射方位を適宜切り換えるように制御するチョッパ手段と、前記チョッパ手段により遮断した際の基準赤外光と対象領域の赤外光との差異により生じた前記赤外線センサの誘起電圧分布から人数を判定する人数判定手段を備える構成としたものである。
【００１３】
この手段により、在室人数をより簡易的な方法で検知すると共に、在室人数と空気清浄度に応じて基準換気量に加算して換気量制御を行なうため、基準換気量の確保と、人から放出される二酸化炭素のみでなく、人の生活行為に対する空気質の悪化を未然に防止することができる換気装置が得られる。
【００１４】
さらに、人数検知手段は、少なくとも２つ以上配した赤外線センサと、前記赤外線センサを回転走査させるように制御する回転手段と、赤外光を断続的に入射かつ入射方位を適宜切り換えるように制御するチョッパ手段と、前記チョッパ手段により遮断した際の基準赤外光と対象領域の赤外光との差異により生じた前記赤外線センサの誘起電圧分布から人数を判定する人数判定手段を備える構成としたものである。
【００１５】
この手段により、人数検知手段でより正確に検知した在室人数と空気清浄度に応じて基準換気量に加算して換気量制御を行なうため、基準換気量の確保と、人から放出される二酸化炭素のみでなく、人の生活行為に対する空気質の悪化を未然に防止することができる換気装置が得られる。
【００１６】
また、回転手段とチョッパ手段の駆動源を同一とする構成としたものである。
【００１７】
この手段により、人数検知手段の構成を簡略化することができる同時に、在室人数と空気清浄度に応じて基準換気量に加算して換気量制御を行なうため、基準換気量の確保と、人から放出される二酸化炭素のみでなく、人の生活行為に対する空気質の悪化を未然に防止することができる換気装置が得られる。
【００１８】
さらに、赤外集光手段はフレネルレンズとする構成としたものである。
【００１９】
この手段により、人数検知手段は検知対象領域が広い場合であっても、赤外線を広範囲に集光することができ、簡易的な構成で広い視野を検知対象とすることができると同時に、在室人数と空気清浄度に応じて基準換気量に加算して換気量制御を行なうため、基準換気量の確保と、人から放出される二酸化炭素のみでなく、人の生活行為に対する空気質の悪化を未然に防止することができる換気装置が得られる。
【００２０】
また、赤外集光手段はシリコンレンズとする構成としたものである。
【００２１】
この手段により、人から放出される波長１０μｍ程度の赤外光を選択的に透過、及び集光することで、在室人数の検知に対する感度を上げることができ、精度良く在室人数を判定することができると同時に、在室人数と空気清浄度に応じて基準換気量に加算して換気量制御を行なうため、基準換気量の確保と、人から放出される二酸化炭素のみでなく、人の生活行為に対する空気質の悪化を未然に防止することができる換気装置が得られる。
【００２２】
さらに、赤外線センサは非回転走査方向に配列する構成としたものである。
【００２３】
この手段により、赤外線センサの配列していない狭い視野を回転走査させるため、赤外線センサの検知対象領域が広い場合であっても、回転走査による広角化で対応することができると同時に、在室人数と空気清浄度に応じて基準換気量に加算して換気量制御を行なうため、基準換気量の確保と、人から放出される二酸化炭素のみでなく、人の生活行為に対する空気質の悪化を未然に防止することができる換気装置が得られる。
【００２４】
また、赤外線センサへの誘起電圧分布の時間変化量から人と固定熱源を判別する判別手段を備える構成としたものである。
【００２５】
この手段により、固定熱源と人とを区別することができるため、人から放出される二酸化炭素の精度の高い予測ができると同時に、在室人数と空気清浄度に応じて基準換気量に加算して換気量制御を行なうため、基準換気量の確保と、人から放出される二酸化炭素のみでなく、人の生活行為に対する空気質の悪化を未然に防止することができる換気装置が得られる。
【００２６】
さらに、赤外線センサからの誘起電圧分布信号から人あるいは固定熱源の位置を判定する位置判定手段を備える構成としたものである。
【００２７】
この手段により、人あるいは固定熱源の位置を特定することができると同時に、在室人数と空気清浄度に応じて基準換気量に加算して換気量制御を行なうため、基準換気量の確保と、人から放出される二酸化炭素のみでなく、人の生活行為に対する空気質の悪化を未然に防止することができる換気装置が得られる。
【００２８】
また、人の位置により換気量を増加あるいは減少させるように制御する第二換気量制御手段を備える構成としたものである。
【００２９】
この手段により、人あるいは固定熱源の位置に応じた、換気量すなわち換気速度を制御することができると同時に、在室人数と空気清浄度に応じて基準換気量に加算して換気量制御を行なうため、基準換気量の確保と、人から放出される二酸化炭素のみでなく、人の生活行為に対する空気質の悪化を未然に防止することができる換気装置が得られる。
【００３０】
さらに、在室人数がゼロとなった際に、消し忘れを報知する報知手段を備える構成としたものである。
【００３１】
この手段により、不在時の無駄な換気動作を防止することができ、省エネに効果があると同時に、在室人数と空気清浄度に応じて基準換気量に加算して換気量制御を行なうため、基準換気量の確保と、人から放出される二酸化炭素のみでなく、人の生活行為に対する空気質の悪化を未然に防止することができる換気装置が得られる。
【００３２】
また、在室人数により計算した加算する換気量と基準換気量の合計値が換気能力を超えた際に、換気量不足を報知、警告する注意手段を備える構成としたものである。
【００３３】
この手段により、対応できない換気量となった場合に換気量不足を報知することができると同時に、在室人数と空気清浄度に応じて基準換気量に加算して換気量制御を行なうため、基準換気量の確保と、人から放出される二酸化炭素のみでなく、人の生活行為に対する空気質の悪化を未然に防止することができる換気装置が得られる。
【００３４】
さらに、清浄度検知手段は、炭酸ガスセンサを備える構成としたものである。
【００３５】
この手段により、在室人数と炭酸ガス濃度に応じて基準換気量に加算して換気量制御を行なうため、基準換気量の確保と、人から放出される二酸化炭素に対する空気質の悪化を未然に防止することができる換気装置が得られる。
【００３６】
また、清浄度検知手段は、煙センサを備える構成としたものである。
【００３７】
この手段により、在室人数と燃焼機器から発生する水素、一酸化炭素に応じて基準換気量に加算して換気量制御を行なうため、基準換気量の確保と、人から放出される二酸化炭素、及び人の生活行為に対する空気質の悪化を未然に防止することができる換気装置が得られる。
【００３８】
さらに、清浄度検知手段は、ホルムアルデヒドセンサを備える構成としたものである。
【００３９】
この手段により、在室人数と建材から発生するホルムアルデヒド濃度に応じて基準換気量に加算して換気量制御を行なうため、基準換気量の確保と、人から放出される二酸化炭素、及び建物からの揮発ガスによる空気質の悪化を未然に防止することができる換気装置が得られる。
【００４０】
また、清浄度検知手段は、粉塵センサを備える構成としたものである。
【００４１】
この手段により、在室人数と、人の生活行為及び建物からの粉塵、あるいは室外から流入する花粉量などに応じて基準換気量に加算して換気量制御を行なうため、基準換気量の確保と空気質の悪化を未然に防止することができる換気装置が得られる。
【発明の効果】
【００４２】
本発明によれば、在室する人数を検知する人数検知手段と、室内の空気清浄度を検知する清浄度検知手段と、人数に応じて予め記憶した室容積に対応する基準換気量に加算するように制御する換気量制御手段と、空気清浄度に応じて換気量をさらに加算する換気量加算手段を備える構成とすることで、在室人数と空気清浄度に応じて基準換気量に加算して換気量制御を行なうため、基準換気量の確保と、人から放出される二酸化炭素のみでなく、人の生活行為に対する空気質の悪化を未然に防止することができる換気装置を提供できる。
【００４３】
また、人数検知手段は１つの赤外線センサと、人からの赤外光を選択的に透過及び集光させる赤外線集光手段と、赤外光を断続的に入射かつ入射方位を適宜切り換えるように制御するチョッパ手段と、前記チョッパ手段により遮断した際の基準赤外光と対象領域の赤外光との差異により生じた前記赤外線センサの誘起電圧分布から人数を判定する人数判定手段を備える構成とすることで、在室人数をより簡易的な方法で検知すると共に、在室人数と空気清浄度に応じて基準換気量に加算して換気量制御を行なうため、基準換気量の確保と、人から放出される二酸化炭素のみでなく、人の生活行為に対する空気質の悪化を未然に防止することができる換気装置を提供できる。
【００４４】
さらに、人数検知手段は、少なくとも２つ以上配した赤外線センサと、前記赤外線センサを回転走査させるように制御する回転手段と、赤外光を断続的に入射かつ入射方位を適宜切り換えるように制御するチョッパ手段と、前記チョッパ手段により遮断した際の基準赤外光と対象領域の赤外光との差異により生じた前記赤外線センサの誘起電圧分布から人数を判定する人数判定手段を備える構成とすることで、人数検知手段でより正確に検知した在室人数と空気清浄度に応じて基準換気量に加算して換気量制御を行なうため、基準換気量の確保と、人から放出される二酸化炭素のみでなく、人の生活行為に対する空気質の悪化を未然に防止することができる換気装置を提供できる。
【００４５】
また、回転手段とチョッパ手段の駆動源を同一とする構成とすることで、人数検知手段の構成を簡略化することができる同時に、在室人数と空気清浄度に応じて基準換気量に加算して換気量制御を行なうため、基準換気量の確保と、人から放出される二酸化炭素のみでなく、人の生活行為に対する空気質の悪化を未然に防止することができる換気装置を提供できる。
【００４６】
さらに、赤外集光手段はフレネルレンズによる構成とすることで、人数検知手段は検知対象領域が広い場合であっても、赤外線を広範囲に集光することができ、簡易的な構成で広い視野を検知対象とすることができると同時に、在室人数と空気清浄度に応じて基準換気量に加算して換気量制御を行なうため、基準換気量の確保と、人から放出される二酸化炭素のみでなく、人の生活行為に対する空気質の悪化を未然に防止することができる換気装置を提供できる。
【００４７】
また、赤外集光手段はシリコンレンズによる構成とすることで、人から放出される波長１０μｍ程度の赤外光を選択的に透過、及び集光することで、在室人数の検知に対する感度を上げることができ、精度良く在室人数を判定することができると同時に、在室人数と空気清浄度に応じて基準換気量に加算して換気量制御を行なうため、基準換気量の確保と、人から放出される二酸化炭素のみでなく、人の生活行為に対する空気質の悪化を未然に防止することができる換気装置を提供できる。
【００４８】
さらに、赤外線センサは非回転走査方向に配列する構成とすることで、赤外線センサの配列していない狭い視野を回転走査させるため、赤外線センサの検知対象領域が広い場合であっても、回転走査による広角化で対応することができると同時に、在室人数と空気清浄度に応じて基準換気量に加算して換気量制御を行なうため、基準換気量の確保と、人から放出される二酸化炭素のみでなく、人の生活行為に対する空気質の悪化を未然に防止することができる換気装置を提供できる。
【００４９】
また、赤外線センサへの誘起電圧分布の時間変化量から人と固定熱源を判別する判別手段を備える構成とすることで、固定熱源と人とを区別することができるため、人から放出される二酸化炭素の精度の高い予測ができると同時に、在室人数と空気清浄度に応じて基準換気量に加算して換気量制御を行なうため、基準換気量の確保と、人から放出される二酸化炭素のみでなく、人の生活行為に対する空気質の悪化を未然に防止することができる換気装置を提供できる。
【００５０】
さらに、赤外線センサからの誘起電圧分布信号から人あるいは固定熱源の位置を判定する位置判定手段を備える構成とすることで、人あるいは固定熱源の位置を特定することができると同時に、在室人数と空気清浄度に応じて基準換気量に加算して換気量制御を行なうため、基準換気量の確保と、人から放出される二酸化炭素のみでなく、人の生活行為に対する空気質の悪化を未然に防止することができる換気装置を提供できる。
【００５１】
また、人の位置により換気量を増加あるいは減少させるように制御する第二換気量制御手段を備える構成とすることで、人あるいは固定熱源の位置に応じた、換気量すなわち換気速度を制御することができると同時に、在室人数と空気清浄度に応じて基準換気量に加算して換気量制御を行なうため、基準換気量の確保と、人から放出される二酸化炭素のみでなく、人の生活行為に対する空気質の悪化を未然に防止することができる換気装置を提供できる。
【００５２】
さらに、在室人数がゼロとなった際に、消し忘れを報知する報知手段を備える構成とすることで、不在時の無駄な換気動作を防止することができ、省エネに効果があると同時に、在室人数と空気清浄度に応じて基準換気量に加算して換気量制御を行なうため、基準換気量の確保と、人から放出される二酸化炭素のみでなく、人の生活行為に対する空気質の悪化を未然に防止することができる換気装置を提供できる。
【００５３】
また、在室人数により計算した加算する換気量と基準換気量の合計値が換気能力を超えた際に、換気量不足を報知、警告する注意手段を備える構成とすることで、対応できない換気量となった場合に換気量不足を報知することができると同時に、在室人数と空気清浄度に応じて基準換気量に加算して換気量制御を行なうため、基準換気量の確保と、人から放出される二酸化炭素のみでなく、人の生活行為に対する空気質の悪化を未然に防止することができる換気装置を提供できる。
【００５４】
さらに、清浄度検知手段は、炭酸ガスセンサを備える構成とすることで、在室人数と炭酸ガス濃度に応じて基準換気量に加算して換気量制御を行なうため、基準換気量の確保と、人から放出される二酸化炭素に対する空気質の悪化を未然に防止することができる換気装置を提供できる。
【００５５】
また、清浄度検知手段は、煙センサを備える構成とすることで、在室人数と燃焼機器から発生する水素、一酸化炭素に応じて基準換気量に加算して換気量制御を行なうため、基準換気量の確保と、人から放出される二酸化炭素、及び人の生活行為に対する空気質の悪化を未然に防止することができる換気装置を提供できる。
【００５６】
さらに、清浄度検知手段は、ホルムアルデヒドセンサを備える構成とすることで、在室人数と建材から発生するホルムアルデヒド濃度に応じて基準換気量に加算して換気量制御を行なうため、基準換気量の確保と、人から放出される二酸化炭素、及び建物からの揮発ガスによる空気質の悪化を未然に防止することができる換気装置を提供できる。
【００５７】
また、清浄度検知手段は、粉塵センサを備える構成とすることで、在室人数と、人の生活行為及び建物からの粉塵、あるいは室外から流入する花粉量などに応じて基準換気量に加算して換気量制御を行なうため、基準換気量の確保と空気質の悪化を未然に防止することができる換気装置を提供できる。
【発明を実施するための最良の形態】
【００５８】
本発明の請求項１記載の発明は、在室する人数を検知する人数検知手段と、室内の空気清浄度を検知する清浄度検知手段と、人数に応じて予め記憶した室容積に対応する基準換気量に加算するように制御する換気量制御手段と、空気清浄度に応じて換気量をさらに加算する換気量加算手段を備える構成としたものであり、在室人数と空気清浄度に応じて基準換気量に加算して換気量制御を行なうため、基準換気量の確保と、人から放出される二酸化炭素のみでなく、人の生活行為に対する空気質の悪化を未然に防止することができるという作用を有する。
【００５９】
また、人数検知手段は１つの赤外線センサと、人からの赤外光を選択的に透過及び集光させる赤外線集光手段と、赤外光を断続的に入射かつ入射方位を適宜切り換えるように制御するチョッパ手段と、前記チョッパ手段により遮断した際の基準赤外光と対象領域の赤外光との差異により生じた前記赤外線センサの誘起電圧分布から人数を判定する人数判定手段を備える構成としたものであり、在室人数をより簡易的な方法で検知すると共に、在室人数と空気清浄度に応じて基準換気量に加算して換気量制御を行なうため、基準換気量の確保と、人から放出される二酸化炭素のみでなく、人の生活行為に対する空気質の悪化を未然に防止することができる作用を有する。
【００６０】
さらに、人数検知手段は、少なくとも２つ以上配した赤外線センサと、前記赤外線センサを回転走査させるように制御する回転手段と、赤外光を断続的に入射かつ入射方位を適宜切り換えるように制御するチョッパ手段と、前記チョッパ手段により遮断した際の基準赤外光と対象領域の赤外光との差異により生じた前記赤外線センサの誘起電圧分布から人数を判定する人数判定手段を備える構成としたものであり、人数検知手段でより正確に検知した在室人数と空気清浄度に応じて基準換気量に加算して換気量制御を行なうため、基準換気量の確保と、人から放出される二酸化炭素のみでなく、人の生活行為に対する空気質の悪化を未然に防止することができるという作用を有する。
【００６１】
また、回転手段とチョッパ手段の駆動源を同一とする構成としたものであり、人数検知手段の構成を簡略化することができる同時に、在室人数と空気清浄度に応じて基準換気量に加算して換気量制御を行なうため、基準換気量の確保と、人から放出される二酸化炭素のみでなく、人の生活行為に対する空気質の悪化を未然に防止することができるという作用を有する。
【００６２】
さらに、赤外集光手段はフレネルレンズによる構成としたものであり、人数検知手段は検知対象領域が広い場合であっても、赤外線を広範囲に集光することができ、簡易的な構成で広い視野を検知対象とすることができると同時に、在室人数と空気清浄度に応じて基準換気量に加算して換気量制御を行なうため、基準換気量の確保と、人から放出される二酸化炭素のみでなく、人の生活行為に対する空気質の悪化を未然に防止することができるという作用を有する。
【００６３】
また、赤外集光手段はシリコンレンズによる構成としたものであり、人から放出される波長１０μｍ程度の赤外光を選択的に透過、及び集光することで、在室人数の検知に対する感度を上げることができ、精度良く在室人数を判定することができると同時に、在室人数と空気清浄度に応じて基準換気量に加算して換気量制御を行なうため、基準換気量の確保と、人から放出される二酸化炭素のみでなく、人の生活行為に対する空気質の悪化を未然に防止することができるという作用を有する。
【００６４】
さらに、赤外線センサは非回転走査方向に配列する構成としたものであり、赤外線センサの配列していない狭い視野を回転走査させるため、赤外線センサの検知対象領域が広い場合であっても、回転走査による広角化で対応することができると同時に、在室人数と空気清浄度に応じて基準換気量に加算して換気量制御を行なうため、基準換気量の確保と、人から放出される二酸化炭素のみでなく、人の生活行為に対する空気質の悪化を未然に防止することができるという作用を有する。
【００６５】
また、赤外線センサへの誘起電圧分布の時間変化量から人と固定熱源を判別する判別手段を備える構成としたものであり、固定熱源と人とを区別することができるため、人から放出される二酸化炭素の精度の高い予測ができると同時に、在室人数と空気清浄度に応じて基準換気量に加算して換気量制御を行なうため、基準換気量の確保と、人から放出される二酸化炭素のみでなく、人の生活行為に対する空気質の悪化を未然に防止することができるという作用を有する。
【００６６】
さらに、赤外線センサからの誘起電圧分布信号から人あるいは固定熱源の位置を判定する位置判定手段を備える構成としたものであり、人あるいは固定熱源の位置を特定することができると同時に、在室人数と空気清浄度に応じて基準換気量に加算して換気量制御を行なうため、基準換気量の確保と、人から放出される二酸化炭素のみでなく、人の生活行為に対する空気質の悪化を未然に防止することができるという作用を有する。
【００６７】
また、人の位置により換気量を増加あるいは減少させるように制御する第二換気量制御手段を備える構成としたものであり、人あるいは固定熱源の位置に応じた、換気量すなわち換気速度を制御することができると同時に、在室人数と空気清浄度に応じて基準換気量に加算して換気量制御を行なうため、基準換気量の確保と、人から放出される二酸化炭素のみでなく、人の生活行為に対する空気質の悪化を未然に防止することができるという作用を有する。
【００６８】
さらに、在室人数がゼロとなった際に、消し忘れを報知する報知手段を備える構成としたものであり、不在時の無駄な換気動作を防止することができ、省エネに効果があると同時に、在室人数と空気清浄度に応じて基準換気量に加算して換気量制御を行なうため、基準換気量の確保と、人から放出される二酸化炭素のみでなく、人の生活行為に対する空気質の悪化を未然に防止することができるという作用を有する。
【００６９】
また、在室人数により計算した加算する換気量と基準換気量の合計値が換気能力を超えた際に、換気量不足を報知、警告する注意手段を備える構成としたものであり、対応できない換気量となった場合に換気量不足を報知することができると同時に、在室人数と空気清浄度に応じて基準換気量に加算して換気量制御を行なうため、基準換気量の確保と、人から放出される二酸化炭素のみでなく、人の生活行為に対する空気質の悪化を未然に防止することができるという作用を有する。
【００７０】
さらに、清浄度検知手段は、炭酸ガスセンサを備える構成としたものであり、在室人数と炭酸ガス濃度に応じて基準換気量に加算して換気量制御を行なうため、基準換気量の確保と、人から放出される二酸化炭素に対する空気質の悪化を未然に防止することができるという作用を有する。
【００７１】
また、清浄度検知手段は、煙センサを備える構成としたものであり、在室人数と燃焼機器から発生する水素、一酸化炭素に応じて基準換気量に加算して換気量制御を行なうため、基準換気量の確保と、人から放出される二酸化炭素、及び人の生活行為に対する空気質の悪化を未然に防止することができるという作用を有する。
【００７２】
さらに、清浄度検知手段は、ホルムアルデヒドセンサを備える構成としたものであり、在室人数と建材から発生するホルムアルデヒド濃度に応じて基準換気量に加算して換気量制御を行なうため、基準換気量の確保と、人から放出される二酸化炭素、及び建物からの揮発ガスによる空気質の悪化を未然に防止することができるという作用を有する。
【００７３】
また、清浄度検知手段は、粉塵センサを備える構成としたものであり、在室人数と、人の生活行為及び建物からの粉塵、あるいは室外から流入する花粉量などに応じて基準換気量に加算して換気量制御を行なうため、基準換気量の確保と空気質の悪化を未然に防止することができるという作用を有する。
【００７４】
以下、本発明の実施の形態について図面を参照しながら説明する。
【００７５】
（実施の形態１）
図１は、本実施の形態１における換気装置の構成図を示す。
【００７６】
図に示すように、換気装置は、人数検知手段としての、人から放出される赤外線を検知する焦電型赤外線センサ１、人からの赤外光を選択的に透過及び集光させる赤外線集光手段２、赤外光を断続的に入射かつ入射方位を適宜切り換えるように制御するチョッパ手段３、チョッパ手段３により遮断前後の赤外光の差異により生じた焦電型赤外線センサ１の誘起電圧分布から在室人数を判定する人数判定手段４と、室内の空気清浄度を検出する清浄度検知手段としての炭酸ガスセンサ５と、判定した人数、及び炭酸ガス濃度から基準換気量への加算量を演算する換気量加算手段６、及び換気量を制御する換気量制御手段７を備えている。
【００７７】
次に人数判定手段４における人数判定のフローチャートを図２に示す。
【００７８】
図に示すように、人数判定手段４は、焦電型赤外線センサ１により得られた誘起電圧を入力する。入力した誘起電圧Ｖ１は、初期誘起電圧として記憶する。更に、２回目に入力した誘起電圧Ｖ２は、初回に入力した誘起電圧Ｖ１と比較し、変化量が△Ｖを下回っていれば更新せずに初期誘起電圧はＶ１とする。その際に基準時間ｔ１経過したことを記憶する。３回目に入力した誘起電圧Ｖ３と初期誘起電圧Ｖ１との変化量が、△Ｖを上回っていた場合は、極大値Ｖｐとして検出する。この極大値Ｖｐが、経過時間閾値△ｔを下回っていた場合は、在室人数を一人加算する。本判定を反復し、極大値Ｖｐの発生した数をカウントすることで人数を判定する。
【００７９】
次に炭酸ガスセンサ５の構成を図３に示す。
【００８０】
図に示すように、炭酸ガスセンサ５は、センサ部５ａと、信号処理回路部５ｂと検知した信号から炭酸ガス濃度を演算するマイクロコンピュータ５ｃを備えている。図において、センサ部５ａは空気中に含まれる炭酸ガス濃度に応じて抵抗値が変化するため、リファレンス抵抗との分圧値、すなわち検知信号が時系列に変動する。検知した信号はマイクロコンピュータ５ｃに入力され、入力した電圧信号から基準値と現時点での濃度を演算する。
【００８１】
次に炭酸ガス濃度の演算フローチャートについて図４に示す。図に示すように、センサ部５ａから適宜信号を入力する。入力した電圧信号から基準値を判定する。判定方法はセンサ部５ａの経年変化を考慮した方法としている。常時センサ部５ａからの入力信号を記憶し、記憶した電圧信号から電圧値の低い信号を抽出する。センサ部５ａは半導体ガスセンサを用いており、炭酸ガス濃度が高くなると抵抗値が低下、すなわち電圧信号は高くなる。時間に比例してカウントダウンする計数カウンタを用いて、一定期間（例えば１日）経過した時、一定期間内に発生した電圧最小値を基準濃度（例えば４００ｐｐｍ）として検出する。検出した基準濃度を基にして、基準濃度に対応する基準電圧と現在の検出電圧との電圧偏差を演算する。演算した電圧偏差を図５に示すテーブルデータと対比して炭酸ガス濃度を判定する。
【００８２】
次に換気量制御手段７における換気量の増減制御についてフローチャートを図６に示す。
【００８３】
図に示すように、換気量制御手段７は、換気量加算手段６により演算した加算量、すなわち人数判定手段４により判定した在室人数に一人当たりの必要換気量を乗じて演算した加算量を入力する。換気量加算手段６により計算した換気量の増加量は、例えば在室人数一人当たり２０ｍ３／ｈ加算とする。加算量２０ｍ３／ｈは、成人男子が静かに座っている時の二酸化炭素排出量に基づいた必要換気量を意味している。判定した換気量の増加量を基準換気量（例えば改正建築基準法のシックハウス対策として定められている換気量：室容積に換気回数０．５回／ｈを乗じた換気量）に加算して最適な換気量を算出する。算出した換気量が最大換気量を超える場合は、最大換気量でリミットする。さらに、換気量加算手段６は、炭酸ガスセンサ５で検出した炭酸ガス濃度に応じてさらに換気量に加算する。炭酸ガス濃度に応じた加算量は、例えば設定濃度に対して１００ｐｐｍ高ければ１０ｍ３／ｈを加算するようにする。加算した換気量が最大換気量を超える場合は、最大換気量でリミットする。
【００８４】
前述の算出した換気量から換気装置のモータ回転数を制御し、目標とする風量に制御する。
【００８５】
以上のように、本実施の形態１によれば、在室人数、及び室内の空気清浄度に応じて基準換気量に加算した最適な換気量制御を行なうことができる。
【００８６】
（実施の形態２）
図７は、本実施の形態２における換気装置の構成図を示す。
【００８７】
なお、実施の形態１と同一の部分は同一番号を付し、詳細な説明は省略する。図に示すように、換気装置は、人から放出される赤外線を検知する焦電型赤外線センサ１と、人からの赤外光を選択的に透過及び集光させるフレネルレンズ８と、赤外光を断続的に入射かつ入射方位を適宜切り換えるように制御するチョッパ手段３と、前記チョッパ手段３により遮断前後の赤外光の差異により生じた焦電型赤外線センサ１の誘起電圧分布から人数を判定する人数判定手段４ｂと、清浄度検知手段としての煙センサ５ｄと、判定した人数、及び煙すなわち水素、一酸化炭素の発生状況から基準換気量への加算量を演算、及び換気量を制御する換気量制御手段７ｂを備えている。また、チョッパ手段３は、断続的に遮断するシャッター部３ａと、焦電型赤外線センサ１を回転駆動し、かつ回転駆動と同期してシャッター部３ａを駆動するモータ３ｂを備えている。
【００８８】
次に人数判定手段４ｂにおける人数判定のフローチャートを図８に示す。
【００８９】
図に示すように、人数判定手段４ｂは、焦電型赤外線センサ１により得られた誘起電圧を入力し、記憶する。次に焦電型赤外線センサ１は、モータ３ｂにより回転駆動すると同時にシャッター部３ａにより赤外光を断続的に入射、すなわち新たな誘起電圧を入力する。この回転駆動によりフレネルレンズ８の対象レンズが変化し、駆動前の視野とは別の方位を検知することとなる。本動作を反復することで、空間の赤外線分布を誘起電圧分布として検出する。次に、検出した赤外線分布から極大値を検索し、極大値の数を検出する。さらに、本極大値の数を在室人数として判定して、換気量制御手段７ｂに人数を出力する。
【００９０】
次に煙センサ５ｄは、燃焼した時に発生する水素、一酸化炭素に反応するケミカルセンサであり、公知技術のため詳細な説明は省略する。
【００９１】
次に換気量制御手段７ｂについて図９を参照しながら説明する。
【００９２】
図に示すように、換気量制御手段７ｂは、人数判定手段４により判定した在室人数に一人当たりの必要換気量を乗じて加算量を演算する。換気量の増加量は、例えば在室人数一人当たり２０ｍ３／ｈ加算とする。加算量２０ｍ３／ｈは、成人男子が静かに座っている時の二酸化炭素排出量に基づいた必要換気量を意味している。判定した換気量の増加量を基準換気量（例えば改正建築基準法のシックハウス対策として定められている換気量：室容積に換気回数０．５回／ｈを乗じた換気量）に加算して最適な換気量を算出する。算出した換気量が最大換気量を超える場合は、最大換気量でリミットする。さらに、煙センサ５ｄで検出した煙が発生したか否かに応じてさらに換気量に加算する。煙の発生に応じた加算量は、例えば発生した場合であれば１０ｍ３／ｈを加算するようにする。加算した換気量が最大換気量を超える場合は、最大換気量でリミットする。
【００９３】
前述の算出した換気量から換気装置のモータ回転数を制御し、目標とする風量に制御する。
【００９４】
以上のように、本実施の形態２によれば、在室人数、及び室内の空気清浄度に応じて基準換気量に加算した最適な換気量制御を行なうことができる。
【００９５】
（実施の形態３）
図１０は、本実施の形態３における換気装置の構成図を示す。
【００９６】
なお、実施の形態１あるいは２と同一部分は同一番号を付し、詳細な説明は省略する。図に示すように、換気装置は、人から放出される赤外線を検知する非回転走査方向に４個配列した焦電型赤外線センサ１ａから１ｄと、人からの赤外光を選択的に透過及び集光させるシリコンレンズ９と、赤外光を断続的に入射かつ入射方位を適宜切り換えるように制御するチョッパ手段３と、前記チョッパ手段３により遮断前後の赤外光の差異により生じた焦電型赤外線センサ１ａから１ｄの誘起電圧分布から人数を判定する人数判定手段４ｃと、清浄度検知手段としてのホルムアルデヒドセンサ５ｅと、判定した人数、及びホルムアルデヒド状態から基準換気量への加算量を演算、及び換気量を制御する換気量制御手段７ｃを備えている。また、チョッパ手段３は、断続的に遮断するシャッター部３ａと、焦電型赤外線センサ１ａから１ｄを回転駆動し、かつ回転駆動と同期してシャッター部３ａを駆動する回転手段としてのモータ３ｂを備えている。
【００９７】
次に人数判定手段４ｃにおける人数判定のフローチャートを図１１に示す。
【００９８】
図に示すように、人数判定手段４ｃは、焦電型赤外線センサ１ａから１ｄにより得られた誘起電圧を入力し、記憶する。次に焦電型赤外線センサ１ａから１ｄは、モータ３ｂにより回転駆動すると同時にシャッター部３ａにより赤外光を断続的に入射、すなわち新たな誘起電圧を入力する。この回転駆動によりシリコンレンズ９の対象領域が変化し、駆動前の視野とは別の方位を検知することとなる。本動作を反復することで、空間の赤外線分布を誘起電圧分布として検出する。次に、検出した赤外線分布から極大値を検索し、極大値の数を検出する。さらに、本極大値の数を在室人数として判定して、換気量制御手段７ｃに人数を出力する。
【００９９】
次にホルムアルデヒドセンサ５ｅは、建材などから発生する揮発性有機化合物（ＶＯＣ）、に反応するケミカルセンサであり、公知技術のため詳細な説明は省略する。
【０１００】
次に換気量制御手段７ｃのフローチャートについて図１２を参照しながら説明する。
【０１０１】
図に示すように、換気量制御手段７ｃは、人数判定手段４により判定した在室人数に一人当たりの必要換気量を乗じて加算量を演算する。換気量の増加量は、例えば在室人数一人当たり２０ｍ３／ｈ加算とする。加算量２０ｍ３／ｈは、成人男子が静かに座っている時の二酸化炭素排出量に基づいた必要換気量を意味している。判定した換気量の増加量を基準換気量（例えば改正建築基準法のシックハウス対策として定められている換気量：室容積に換気回数０．５回／ｈを乗じた換気量）に加算して最適な換気量を算出する。算出した換気量が最大換気量を超える場合は、最大換気量でリミットする。さらに、ホルムアルデヒドセンサ５ｅで検出したＶＯＣ濃度に応じてさらに換気量に加算する。ＶＯＣ濃度に応じた加算量は、例えば基準濃度より１ｐｐｍ高ければ１０ｍ３／ｈを加算するようにする。加算した換気量が最大換気量を超える場合は、最大換気量でリミットする。
【０１０２】
前述の算出した換気量から換気装置のモータ回転数を制御し、目標とする風量に制御する。
【０１０３】
以上のように、本実施の形態３によれば、在室人数、及び室内の空気清浄度に応じて基準換気量に加算した最適な換気量制御を行なうことができる。
【０１０４】
（実施の形態４）
図１３は、本実施の形態４における換気装置の構成図を示す。
【０１０５】
なお、実施の形態１から３と同一部分は同一番号を付し、詳細な説明は省略する。図に示すように、換気装置は、人から放出される赤外線を検知する非回転走査方向に４個配列した焦電型赤外線センサ１ａから１ｄと、人からの赤外光を選択的に透過及び集光させるシリコンレンズ９と、赤外光を断続的に入射かつ入射方位を適宜切り換えるように制御するチョッパ手段３と、前記チョッパ手段３により遮断前後の赤外光の差異により生じた焦電型赤外線センサ１ａから１ｄの誘起電圧分布から人数を判定する人数判定手段４ｃと、焦電型赤外線センサ１ａから１ｄの誘起電圧分布の時間変化から人と固定熱源を判別する判別手段１０と、清浄度検知手段としての粉塵センサ５ｆを備えている。また、チョッパ手段３は、断続的に遮断するシャッター部３ａと、焦電型赤外線センサ１ａから１ｄを回転駆動し、かつ回転駆動と同期してシャッター部３ａを駆動するモータ３ｂを備えている。
【０１０６】
次に粉塵センサ５ｆは、喫煙による粉塵、建材などから発生する粉塵に反応するセンサであり、公知技術のため詳細な説明は省略する。
【０１０７】
次に判別手段１０における判別のフローチャートを図１４に示す。
【０１０８】
図に示すように、判別手段１０は、焦電型赤外線センサ１ａから１ｄにより得られた誘起電圧を入力し、記憶する。次に焦電型赤外線センサ１ａから１ｄは、モータ３ｂにより回転駆動すると同時にシャッター部３ａにより赤外光を断続的に入射、すなわち新たな誘起電圧を入力する。本動作を反復することで、空間の赤外線分布を誘起電圧分布として検出する。検出した赤外線分布から極大値を検索し、極大値の数を検出する。さらに、規定時間の後に新たな赤外線分布から新しい極大値を検索する。新旧の極大値を検出した位置から変化した極大値を抽出し、その極大値の数を在室人数として判定して、換気量制御手段７ｄに人数を出力する。
【０１０９】
次に換気量制御手段７ｄについて図１５を参照しながら説明する。
【０１１０】
図に示すように、換気量制御手段７ｄは、人数判定手段４により判定した在室人数に一人当たりの必要換気量を乗じて加算量を演算する。換気量の増加量は、例えば在室人数一人当たり２０ｍ３／ｈ加算とする。加算量２０ｍ３／ｈは、成人男子が静かに座っている時の二酸化炭素排出量に基づいた必要換気量を意味している。判定した換気量の増加量を基準換気量（例えば改正建築基準法のシックハウス対策として定められている換気量：室容積に換気回数０．５回／ｈを乗じた換気量）に加算して最適な換気量を算出する。算出した換気量が最大換気量を超える場合は、最大換気量でリミットする。さらに、粉塵センサ５ｆで検出した粉塵量に応じてさらに換気量に加算する。粉塵量に応じた加算量は、例えば基準含有量より１ｍｇ／ｍ３高ければ１０ｍ３／ｈを加算するようにする。加算した換気量が最大換気量を超える場合は、最大換気量でリミットする。
【０１１１】
前述の算出した換気量から換気装置のモータ回転数を制御し、目標とする風量に制御する。
【０１１２】
以上のように、本実施の形態４によれば、在室人数、及び室内の空気清浄度に応じて基準換気量に加算した最適な換気量制御を行なうことができる。
【０１１３】
（実施の形態５）
図１６は、本実施の形態５における換気装置の構成図を示す。
【０１１４】
なお、実施の形態１から４と同一部分は同一番号を付し、詳細な説明は省略する。図に示すように、換気装置は、人から放出される赤外線を検知する非回転走査方向に４個配列した焦電型赤外線センサ１ａから１ｄと、人からの赤外光を選択的に透過及び集光させるシリコンレンズ９と、赤外光を断続的に入射かつ入射方位を適宜切り換えるように制御するチョッパ手段３と、前記チョッパ手段３により遮断前後の赤外光の差異により生じた焦電型赤外線センサ１ａから１ｄの誘起電圧分布から人数を判定する人数判定手段４ｃと室内の空気清浄度を検出する清浄度検知手段としての炭酸ガスセンサ５と、焦電型赤外線センサ１ａから１ｄの誘起電圧分布から人あるいは固定熱源の位置を判定する位置判定手段１１と、人の位置により換気量を増加あるいは減少させるように制御する第二換気量制御手段１２を備えている。また、チョッパ手段３は、断続的に遮断するシャッター部３ａと、焦電型赤外線センサ１ａから１ｄを回転駆動し、かつ回転駆動と同期してシャッター部３ａを駆動するモータ３ｂを備えている。
【０１１５】
次に位置判定手段１１における判別のフローチャートを図１７に示す。
【０１１６】
図に示すように、位置判定手段１１は、焦電型赤外線センサ１ａから１ｄにより得られた誘起電圧を入力し、記憶する。次に焦電型赤外線センサ１ａから１ｄは、モータ３ｂにより回転駆動すると同時にシャッター部３ａにより赤外光を断続的に入射、すなわち新たな誘起電圧を入力する。本動作を反復することで、空間の赤外線分布を誘起電圧分布として検出する。検出した赤外線分布から極大値を検索する。さらに、検索した極大値を示す画素と図１８に示す参照テーブルから極大値の存在する位置、すなわち人あるいは固定熱源の位置を検出する。検出した極大値の数及び位置を第二換気量制御手段１２に出力する。
【０１１７】
次に第二換気量制御手段１２について図１９を参照しながら説明する。
【０１１８】
図に示すように、第二換気量制御手段１２は、位置判定手段１１により判定した人あるいは固定熱源の位置を入力して、入力した位置、すなわち換気装置からの距離に応じて加算量を演算する。換気量の加算量は、例えば換気装置からの距離と在室人数の積分値１ｍ・人毎に設定した加算量を５ｍ３／ｈ加算とする。算出した基準換気量と加算量を足し合わせた換気量が最大換気量を超える場合は、最大換気量でリミットする。さらに、炭酸ガスセンサ５で検出した炭酸ガス濃度に応じてさらに換気量に加算する。炭酸ガス濃度に応じた加算量は、例えば設定濃度に対して１００ｐｐｍ高ければ１０ｍ３／ｈを加算するようにする。加算した換気量が最大換気量を超える場合は、最大換気量でリミットする。
【０１１９】
前述の算出した換気量から換気装置のモータ回転数を制御し、目標とする風量に制御する。
【０１２０】
以上のように、本実施の形態５によれば、焦電型赤外線センサ１ａから１ｄの誘起電圧分布を位置判定手段１１に入力して、人あるいは固定熱源の位置を特定した換気量制御と炭酸ガス濃度に応じた部屋全体の換気量の最適化を行なうこととなる。
【０１２１】
（実施の形態６）
図２０は、本実施の形態６における換気装置の構成図を示す。
【０１２２】
なお、実施の形態１から５と同一部分は同一番号を付し、詳細な説明は省略する。図に示すように、換気装置は、人から放出される赤外線を検知する非回転走査方向に４個配列した焦電型赤外線センサ１ａから１ｄと、人からの赤外光を選択的に透過及び集光させるシリコンレンズ９と、赤外光を断続的に入射かつ入射方位を適宜切り換えるように制御するチョッパ手段３と、前記チョッパ手段３により遮断前後の赤外光の差異により生じた焦電型赤外線センサ１ａから１ｄの誘起電圧分布から人数を判定する人数判定手段４ｂを備えている。また、チョッパ手段３は、断続的に遮断するシャッター部３ａと、焦電型赤外線センサ１ａから１ｄを回転駆動し、かつ回転駆動と同期してシャッター部３ａを駆動するモータ３ｂと、在室人数と炭酸ガス濃度により計算した加算する換気量と基準換気量の合計値が換気能力を超えた際に、換気量不足を報知、警告する注意手段１３を備えている。
【０１２３】
次に注意手段１３の構成を図２１に示す。
【０１２４】
図に示すように、注意手段１３は、換気量制御手段７から得た換気能力を超えたか否かの信号を入力する入力部１３ａと、入力した合計値が能力を超えている場合はＨｉ信号、超えていない場合はＬｏ信号を出力する信号処理部１３ｂと、能力を超えた信号を受け取った際に発音するブザー１３ｃを備えている。
【０１２５】
以上のように、本実施の形態６によれば、換気能力を超える換気量が必要となった際には注意手段１３により注意を促すこととなる。
【０１２６】
（実施の形態７）
図２２は、本実施の形態７における換気装置の構成図を示す。
【０１２７】
なお、実施の形態１から６と同一部分は同一番号を付し、詳細な説明は省略する。図に示すように、換気装置は、人から放出される赤外線を検知する焦電型赤外線センサ１と、人からの赤外光を選択的に透過及び集光させる赤外線集光手段２と、赤外光を断続的に入射かつ入射方位を適宜切り換えるように制御するチョッパ手段３と、チョッパ手段３により遮断前後の赤外光の差異により生じた焦電型赤外線センサ１の誘起電圧分布から在室人数を判定する人数判定手段４と、判定した人数から基準換気量への加算量を演算、及び換気量を制御する換気量制御手段７と、在室人数がゼロとなり、かつ炭酸ガス濃度が規定値以下となった際に、消し忘れを報知する報知手段１４を備えている。
【０１２８】
次に報知手段１４の構成を図２３に示す。
【０１２９】
図に示すように、報知手段１４は、換気量制御手段７から在室者がなく、炭酸ガス濃度が規定値（例えば６００ｐｐｍ）以下となったか否かを受信する報知入力部１４ａと、報知入力部１４ａから在室者の居る、あるいは炭酸ガス濃度が規定値を上回る場合はＨｉ信号、在室者がなく、かつ炭酸ガス濃度が規定値以下となった場合は、Ｌｏ信号を受け取る報知信号処理部１４ｂと、在室者がゼロとなった際に発音する報知ブザー１４ｃを備えている。
【０１３０】
以上のように、本実施の形態７によれば、報知手段１４により、在室人数がゼロであり、かつ炭酸ガス濃度が規定値以下となった際には、報知ブザー１４ｃを鳴動させて消し忘れを報知することとなる。
【０１３１】
なお、報知手段１４は報知ブザー１４ｃを利用して発音させるとしたが、ＬＥＤなどを利用して光で報知するとしても作用効果に差異はない。
【産業上の利用可能性】
【０１３２】
人感センサを用いて、人体検出、在室人数検出による各種空調機器の自動制御に関するものであり、空調機の自動発停や温度、風向、あるいは風量制御の用途にも適用できる。
【図面の簡単な説明】
【０１３３】
【図１】本発明の実施の形態１における換気装置の構成図
【図２】同人数判定手段４における人数判定のフローチャート
【図３】同炭酸ガスセンサ５の構成図
【図４】同炭酸ガス濃度の演算フローチャート
【図５】同炭酸ガス濃度判定のテーブルデータを示す図
【図６】同換気量制御手段７のフローチャート
【図７】本発明の実施の形態２における換気装置の構成図
【図８】同人数判定手段４ｂのフローチャート
【図９】同換気量制御手段７ｂのフローチャート
【図１０】本発明の実施の形態３における換気装置の構成図
【図１１】同人数判定手段４ｃのフローチャート
【図１２】同換気量制御手段７ｃのフローチャート
【図１３】本発明の実施の形態４における換気装置の構成図
【図１４】同判別手段１０のフローチャート
【図１５】同換気量制御手段７ｄのフローチャート
【図１６】本発明の実施の形態５における換気装置の構成図
【図１７】同位置判定手段１１のフローチャート
【図１８】同位置検出のための参照テーブルを示す図
【図１９】同第二換気量制御手段１２のフローチャート
【図２０】本発明の実施の形態６における換気装置の構成図
【図２１】同注意手段１３の構成図
【図２２】本発明の実施の形態７における換気装置の構成図
【図２３】同報知手段１４の構成図
【図２４】従来の空調装置の構成図
【図２５】同人体感知センサの配置図
【符号の説明】
【０１３４】
１      焦電型赤外線センサ
１ａ    焦電型赤外線センサ
１ｂ    焦電型赤外線センサ
１ｃ    焦電型赤外線センサ
１ｄ    焦電型赤外線センサ
２      赤外線集光手段
３      チョッパ手段
３ａ    シャッター部
３ｂ    モータ
４      人数判定手段
４ｂ    人数判定手段
４ｃ    人数判定手段
５      炭酸ガスセンサ
５ａ    センサ部
５ｂ    信号処理回路部
５ｃ    マイクロコンピュータ
５ｄ    煙センサ
５ｅ    ホルムアルデヒドセンサ
５ｆ    粉塵センサ
６      換気量加算手段
７      換気量制御手段
７ｂ    換気量制御手段
７ｃ    換気量制御手段
７ｄ    換気量制御手段
７ｆ    換気量制御手段
８      フレネルレンズ
９      シリコンレンズ
１０    判別手段
１１    位置判定手段
１２    第二換気量制御手段
１３    注意手段
１３ａ  入力部
１３ｂ  信号処理部
１３ｃ  ブザー
１４    報知手段
１４ａ  報知入力部
１４ｂ  報知信号処理部
１４ｃ  報知ブザー
【図１】
2007205625.tif 000003
【図２】
2007205625.tif 000004
【図３】
2007205625.tif 000005
【図４】
2007205625.tif 000006
【図５】
2007205625.tif 000007
【図６】
2007205625.tif 000008
【図７】
2007205625.tif 000009
【図８】
2007205625.tif 000010
【図９】
2007205625.tif 000011
【図１０】
2007205625.tif 000012
【図１１】
2007205625.tif 000013
【図１２】
2007205625.tif 000014
【図１３】
2007205625.tif 000015
【図１４】
2007205625.tif 000016
【図１５】
2007205625.tif 000017
【図１６】
2007205625.tif 000018
【図１７】
2007205625.tif 000019
【図１８】
2007205625.tif 000020
【図１９】
2007205625.tif 000021
【図２０】
2007205625.tif 000022
【図２１】
2007205625.tif 000023
【図２２】
2007205625.tif 000024
【図２３】
2007205625.tif 000025
【図２４】
2007205625.tif 000026
【図２５】
2007205625.tif 000027